【誤訳訂正書】
【提出日】平成28年12月28日(2016.12.28)
【誤訳訂正１】
【訂正対象書類名】明細書
【訂正対象項目名】００６０
【訂正方法】変更
【訂正の内容】
【００６０】
圧電層は、結晶族
2016506130.tif 000001
および６ｍｍの１つから選択することができる１つの結晶構造を備える。
【誤訳訂正２】
【訂正対象書類名】明細書
【訂正対象項目名】００７２
【訂正方法】変更
【訂正の内容】
【００７２】
３次元の振動モードの励起によって、変換器１のカップリング係数は、１次元の振動モードに対して大きくなるが、これはこの３次元の振動モードが、１次元の振動モードより、圧電テンソルのより多くの成分を利用しているからである。これは圧電テンソルの構成が、１つの空間方向に１つの交流電界を印加した際に全ての３つの空間方向における励起が行われるようになっている場合に可能である。これはたとえば以下のような結晶構造の圧電材料の場合である。
−結晶構造１及び３では、交流電場がｘ，ｙ，またはｚ方向に印加されている場合。
−結晶構造ｍでは、交流電場がｘまたはｚ方向に印加されている場合。
−結晶構造３ｍでは、交流電場がｙまたはｚ方向に印加されている場合。
−結晶構造
2016506130.tif 000002
では、交流電場がｘまたはｚ方向に印加されている場合。
−結晶構造３２では、交流電場がｘ方向に印加されている場合。
−結晶構造２では、交流電場がｙ方向に印加されている場合。
−結晶構造
2016506130.tif 000003
および６ｍｍのそれぞれでは、交流電場がｚ方向に印加されている場合。
【誤訳訂正３】
【訂正対象書類名】明細書
【訂正対象項目名】００７４
【訂正方法】変更
【訂正の内容】
【００７４】
さらにこの交流電場が正確に１つの座標軸に沿って印加されない場合には、他の結晶構造を有する圧電材料に対しても、交流電場を印加することによって３つの空間方向における振動を有する振動モードの励起を行うこともできる。こうしてたとえば１つの交流電場を斜め方向空間に沿って印加することにより、結晶族２２２，２３，および
2016506130.tif 000004
で、全ての３つの空間方向に剪断振動が生成される。この可能性は、上記の圧電材料に対しても存在する。
【誤訳訂正４】
【訂正対象書類名】明細書
【訂正対象項目名】００９３
【訂正方法】変更
【訂正の内容】
【００９３】
これら２つの電極パターン１０，１１のフィンガ形状の帯状体１３は、互いに噛み合っている。これらの外側の帯状体１２およびフィンガ形状の帯状体１３は、それぞれ複数の、１列に配設されたブロック８を互いに接続している。ここでこれらのブロック８および電極パターン１０，１１は、１つの方向で隣接するブロック８が交互に第１および第２の電極パターン１０，１１と接続されている。
【誤訳訂正５】
【訂正対象書類名】特許請求の範囲
【訂正対象項目名】全文
【訂正方法】変更
【訂正の内容】
【特許請求の範囲】
【請求項１】
圧電層（４）を有する電子音響変換器（１）であって、
当該圧電層は、１つの空間方向に交流電界が印加された場合に、１つの３次元振動モードが励起されるように構成されており、
前記３次元振動モードは、前記交流電界に沿った方向において１つの振動成分を有し、また他の２つの空間方向への２つの振動成分を有する、
ことを特徴とする電子音響変換器。
【請求項２】
請求項１に記載の電子音響変換器（１）において、
前記圧電層（４）は、平坦な層であり、孔部（複数）（２２）および／またはスリット（複数）（２３）を有するようにパターニングされていることを特徴とする電子音響変換器。
【請求項３】
請求項１または２に記載の電子音響変換器（１）において、
前記変換器（１）は、１つの領域を備え、この領域において、前記圧電層（４）での音速が最も大きな方向における当該圧電層（４）の大きさ（Ｔ）が、他の空間方向における当該圧電層（４）の大きさ（Ｌ１，Ｌ２，Ｌ）と少なくとも丁度同程度の大きさとなっていることを特徴とする電子音響変換器。
【請求項４】
請求項３に記載の電子音響変換器（１）において、
前記圧電層（４）の最大の音速の方向における、当該圧電層の大きさ（Ｔ）は、前記共鳴器が基本モードで駆動されるように選択されていることを特徴とする電子音響変換器。
【請求項５】
請求項１乃至４のいずれか1項に記載の電子音響変換器（１）において、
前記変換器は、１つの第１の電極（２）および１つの第２の電極（３）を備え、
前記圧電層（４）の上面（５）は、前記第１の電極（２）と接続されており、前記圧電層（４）の下面（６）は、前記第２の電極（３）と接続されていることを特徴とする電子音響変換器。
【請求項６】
請求項１乃至５のいずれか1項に記載の電子音響変換器（１）において、
前記圧電層（４）は、複数のブロック（８）を備え、当該ブロックは１つの圧電材料を含んでおり、
前記圧電層（４）での音速が最も大きな方向における前記ブロック（８）の大きさ（Ｔ）が、他の空間方向におけるそれぞれの前記ブロック（８）の大きさ（Ｌ１，Ｌ２，Ｌ）と少なくとも同程度の大きさとなっていることを特徴とする電子音響変換器。
【請求項７】
請求項５または６に記載の電子音響変換器（１）において、
前記電極（２，３）の少なくとも１つは、１つの第１の電極パターン（１０）および１つの第２の電極パターン（１１）を備え、
前記ブロック（８）の各々は、前記第１の電極パターン（１０）あるいは前記第２の電極パターン（１１）と接続されていることを特徴とする電子音響変換器。
【請求項８】
請求項７に記載の電子音響変換器（１）において、
前記ブロック（８）および前記電極パターン（１０，１１）は、２つの隣接するブロック（８）が異なる電極パターン（１０，１１）と接続されていることを特徴とする電子音響変換器。
【請求項９】
請求項６乃至８のいずれか１項に記載の電子音響変換器（１）において、
２つのブロック（８）の間には、１つの接続パターン（１７）が配設されており、当該接続パターンは、当該２つのブロック（８）を横方向に互いに接続していることを特徴とする電子音響変換器。
【請求項１０】
請求項９に記載の電子音響変換器（１）において、
前記接続パターン（１７）は、誘電性材料を含んでいることを特徴とする電子音響変換器。
【請求項１１】
請求項１乃至１０のいずれか1項に記載の電子音響変換器（１）において、
前記圧電層（４）の１つの領域は、１つの被覆層（１６）によって覆われており、当該被覆層は特異な熱機械的挙動および／またはパッシベーション特性を備えることを特徴とする電子音響変換器。
【請求項１２】
請求項１乃至１１のいずれか1項に記載の電子音響変換器（１）において、
前記圧電層（４）は、空隙部（複数）（９）を備え、当該空隙部は、特異な熱機械的挙動および／または前記圧電層（４）より小さな剛性を有する材料（２４）で充填されていることを特徴とする電子音響変換器。
【請求項１３】
請求項１乃至１２のいずれか1項に記載の電子音響変換器（１）において、
前記圧電層（４）は、１つの音響ミラー上に配設されていることを特徴とする電子音響変換器。
【請求項１４】
請求項1乃至１２のいずれか１項に記載の電子音響変換器（１）において、
前記圧電層（４）は、フリーハンギングで配設されていることを特徴とする電子音響変換器。
【請求項１５】
請求項１乃至１４のいずれか1項に記載の電子音響変換器（１）において、
前記圧電層（４）は、フォノニックバンドギャップ構造を形成することを特徴とする電子音響変換器。
【請求項１６】
請求項１乃至１５のいずれか1項に記載の電子音響変換器（１）において、
前記圧電層（４）は、１つの圧電性材料からなる１つの第１の副層（１８）と、１つの圧電性材料からなる１つの第２の副層（１９）とを備え、
前記音響変換器（１）は、前記第１の副層（１８）と前記第２の副層（１９）との間に配設されている１つの中間層（２０）を備えることを特徴とする電子音響変換器。
【請求項１７】
請求項１乃至１６のいずれか1項に記載の電子音響変換器（１）において、
前記圧電層（４）は、結晶族
2016506130.tif 000005
および６ｍｍの１つから選択された１つの結晶構造を備えることを特徴とする電子音響変換器。
【請求項１８】
請求項１乃至１７のいずれか1項に記載の電子音響変換器（１）において、
励起された前記振動モードは、縦方向振動，剪断振動，またはこれら２つの振動の組合せを含むことを特徴とする電子音響変換器。
【請求項１９】
請求項１乃至１８のいずれか1項に記載の電子音響変換器（１）において、
前記圧電層（４）は、その結晶軸がほぼ平行に揃っている結晶子を含むことを特徴とする電子音響変換器。
【請求項２０】
請求項１乃至１９のいずれか1項に記載の電子音響変換器（１）において、
前記圧電層（４）は、準エピタキシャルまたはエピタキシャルであることを特徴とする電子音響変換器。
【請求項２１】
フィルタに用いられる電子音響変換器（１）であって、圧電層（４）を有し、
当該圧電層は、１つの空間方向に交流電界が印加された場合に、３つの空間方向での振動を有する振動モードが励起されるように構成されており、
前記圧電層（４）は、平坦な層であり、孔部（複数）（２２）および／またはスリット（複数）（２３）を有するようにパターニングされていることを特徴とする電子音響変換器。